(57)【特許請求の範囲】
【請求項１】
光源（４０）と、該光源（４０）が設置される基板（４２）と、前記光源（４０）からの光を反射させて前方に照射する反射板（１８）と、前記光源（４０）及び前記基板（４２）が収納されるハウジング（１２）と、該ハウジング（１２）の後方に設けられて前記光源（４０）及び前記基板（４２）の周囲を覆うカバー（４６）とを有するヘッドライト装置（１０）において、
前記ハウジング（１２）の後方には、下方に開口する開口部（２６）が形成され、
前記カバー（４６）は、上方に向かって前記開口部（２６）を塞ぐように前記ハウジング（１２）に設置され、
前記カバー（４６）には、前記ハウジング（１２）の外周面に形成された突起部（３０）に係合する溝（５２）が設けられ、
前記開口部（２６）は、前記ハウジング（１２）から下方に延在する筒状部（２０）に形成された開口であり、
前記突起部（３０）は、前記筒状部（２０）を構成する前方の側壁（３２）以外の側壁（２４）の外周面に形成され、
前記溝（５２）は、前記カバー（４６）を構成する前方の側壁（５４）以外の側壁（４８）に形成され、
前記ハウジング（１２）には、前記前方の側壁（３２）の基端部に連結された庇部（３６）と、前記庇部（３６）の前端部から前記ハウジング（１２）の下端部まで延在する傾斜部（３８）とが形成されていることを特徴とするヘッドライト装置（１０）。
【請求項２】
請求項１記載のヘッドライト装置（１０）において、
前記カバー（４６）は、ゴム製であることを特徴とするヘッドライト装置（１０）。
【請求項３】
請求項１又は２記載のヘッドライト装置（１０）において、
前記基板（４２）の端部は、スクリュー（４４）によって前記ハウジング（１２）に固定されていることを特徴とするヘッドライト装置（１０）。
【請求項４】
請求項１〜３のいずれか１項に記載のヘッドライト装置（１０）において、
前記基板（４２）を貫通して該基板（４２）を前記ハウジング（１２）内に位置決め固定する位置決めピン（５８）をさらに有することを特徴とするヘッドライト装置（１０）。
【発明の詳細な説明】
【技術分野】
【０００１】
本発明は、基板に設置された光源からの光を反射板で反射させて前方に照射するヘッドライト装置に関する。
【背景技術】
【０００２】
特許文献１には、灯火バルブに水や泥がかかるのを防止するために、灯火バルブの後方を防水カバーで覆ったリヤコンビネーションユニットの灯火器取付構造が開示されている。
【先行技術文献】
【特許文献】
【０００３】
【特許文献１】特開２００７−１２５９０３号公報
【発明の概要】
【発明が解決しようとする課題】
【０００４】
特許文献１の技術を、自動二輪車等の車両のヘッドライト装置に適用する場合、防水カバーを設置するために、ピンや留め具等の固定部材が必要となる。この結果、部品点数が増加し、取付構造が複雑化するという問題がある。すなわち、ヘッドライト装置の内部は、メンテナンス性の観点から、水、泥、塵埃等の異物が外部から入らないように密閉空間となっている。そのため、密閉空間を確保すべく、防水カバーを精巧な構造にすれば、ヘッドライト装置の構造及び形状が複雑となる。このように複雑な構造になることで、ヘッドライト装置の製作に手間がかかり、コストがかかる。
【０００５】
そこで、本発明は、簡単な構成で防水性及び防塵性を確保することができるヘッドライト装置を提供することを目的とする。
【課題を解決するための手段】
【０００６】
本発明に係るヘッドライト装置（１０）は、光源（４０）と、該光源（４０）が設置される基板（４２）と、前記光源（４０）からの光を反射させて前方に照射する反射板（１８）と、前記光源（４０）及び前記基板（４２）が収納されるハウジング（１２）と、該ハウジング（１２）の後方に設けられて前記光源（４０）及び前記基板（４２）の周囲を覆うカバー（４６）とを有しており、以下の特徴を有する。
【０００７】
第１の特徴；前記ハウジング（１２）の後方には、下方に開口する開口部（２６）が形成され、前記カバー（４６）は、上方に向かって前記開口部（２６）を塞ぐように前記ハウジング（１２）に設置される。前記カバー（４６）には、前記ハウジング（１２）の外周面に形成された突起部（３０）に係合する溝（５２）が設けられている。また、前記開口部（２６）は、前記ハウジング（１２）から下方に延在する筒状部（２０）に形成された開口である。この場合、前記突起部（３０）は、前記筒状部（２０）を構成する前方の側壁（３２）以外の側壁（２４）の外周面に形成され、前記溝（５２）は、前記カバー（４６）を構成する前方の側壁（５４）以外の側壁（４８）に形成されている。さらに、前記ハウジング（１２）には、前記前方の側壁（３２）の基端部に連結された庇部（３６）と、前記庇部（３６）の前端部から前記ハウジング（１２）の下端部まで延在する傾斜部（３８）とが形成されている。
【００１０】
第２の特徴；前記カバー（４６）は、ゴム製である。
【００１１】
第３の特徴；前記基板（４２）の端部は、スクリュー（４４）によって前記ハウジング（１２）に固定されている。
【００１２】
第４の特徴；前記基板（４２）を貫通して該基板（４２）を前記ハウジング（１２）内に位置決め固定する位置決めピン（５８）をさらに有する。
【発明の効果】
【００１３】
本発明の第１の特徴によれば、下方に開口するハウジングの開口部に対して、上方に向かって開口部を塞ぐように、カバーがハウジングに設置される。これにより、簡単な構成で、外部からヘッドライト装置内への水、泥、塵埃等の異物の混入を阻止することができる。この結果、ヘッドライト装置の防水性及び防塵性を向上させることができる。
【００１４】
また、開口部を塞ぐようにカバーをハウジングに設置することにより、カバーに設けられた溝と、ハウジングの外周面に形成された突起部とが係合する。これにより、ハウジングも防水機能及び防塵機能を備えることになるため、防水性及び防塵性をさらに向上させることができる。
【００１５】
さらに、筒状部及びカバーの前方側には、突起部及び溝が設けられていないが、庇部及び傾斜部を設けることによって、筒状部及びカバーの前方側での防水性を確保することができる。
【００１６】
本発明の第２の特徴によれば、カバーをゴム製にすることで、ハウジングとカバーとの密着性が向上する。これにより、ヘッドライト装置の防水機能及び防塵機能を一段と向上させることができる。また、ゴム製のカバーを採用することにより、Ｏリングやパッキン等の付属のシール部材が不要となる。この結果、ヘッドライト装置の部品点数が削減され、装置全体のコストを下げることができる。
【００１７】
本発明の第３の特徴によれば、スクリューを用いて基板の端部をハウジングに容易に固定することができる。また、基板の全面をハウジングに密着固定する場合と比較して、基板の放熱性を向上させることができる。
【００１８】
本発明の第４の特徴によれば、位置決めピンが基板を貫通することにより、ハウジング内で該基板が位置決め固定されるので、基板の制振性を確保することができる。特に、光源がＬＥＤである場合には、位置決めピンによって基板を位置決め固定することにより、ＬＥＤの指向性を安定化させることができる。
【図面の簡単な説明】
【００１９】
【図１】本実施形態に係るヘッドライト装置の一部を破断して図示した正面図である。
【図２】図１のヘッドライト装置の左側面図である。
【図３】図１のＩＩＩ−ＩＩＩ線に沿った断面図である。
【図４】図１のＩＶ−ＩＶ線に沿った断面図である。
【発明を実施するための形態】
【００２０】
本発明に係るヘッドライト装置について、好適な実施形態を掲げ、添付の図面を参照しながら、以下詳細に説明する。
【００２１】
［本実施形態の構成］
本実施形態に係るヘッドライト装置１０は、図示しない自動二輪車等の車両の前照灯に適用され、図１及び図２に示すように、樹脂製のハウジング１２と、該ハウジング１２の前方に設けられ、光を透過可能な樹脂製のレンズ１４とを有する。なお、本実施形態の説明では、ヘッドライト装置１０が搭載される車両の進行方向を前方として、前後、左右及び上下の方向を説明する。また、図１では、ヘッドライト装置１０のうち、レンズ１４の下側部分を破断して図示している。
【００２２】
ヘッドライト装置１０では、ハウジング１２の前端部とレンズ１４の後端部とが嵌合することにより、ハウジング１２の前面にレンズ１４が備わることになる。また、ハウジング１２とレンズ１４との嵌合部分は、ホットメルト樹脂等のシール部材１６によりシールされている。
【００２３】
ハウジング１２は、図３及び図４に示すように、断面視で、上端部から中央部分にかけて、前方に傾斜し、中央部分が後方に円弧状に後退している。この断面円弧状の部分が反射板であるリフレクタ１８として構成される。
【００２４】
リフレクタ１８の下端部には、下方に延在する筒状部２０が設けられている。この場合、リフレクタ１８の後端部から後方に略水平に延びる平坦部２２に筒状部２０の後方の側壁２４が形成される。また、筒状部２０は、下方に開口する開口部２６を形成する。
【００２５】
筒状部２０における側壁２４の外周面には、凹部２８と突起部３０とが上下に連設されている。突起部３０は、側壁２４から後方に略水平に突出している。凹部２８は、平坦部２２と突起部３０との間で前方に凹むように形成されている。一方、筒状部２０における前方の側壁３２の外周面には、段差部３４が形成されている。なお、図示はしないが、筒状部２０は、左右の側壁も有している。筒状部２０における左右の側壁の外周面にも、凹部２８及び突起部３０が形成されている。
【００２６】
側壁３２の上端部（基端部）には、ハウジング１２を構成する庇部３６が連結されている。庇部３６は、側壁３２の後方から前方に向かって緩やかに下方に傾斜することで、リフレクタ１８に対して開口部２６の一部分及び側壁３２を覆っている。また、ハウジング１２において、庇部３６の前端部から該ハウジング１２の下端部までの部分は、前方に傾斜する傾斜部３８として形成される。
【００２７】
開口部２６には、ＬＥＤ４０を配置した樹脂製の基板４２が、スクリュー４４によって平坦部２２の底面に固定されている。平坦部２２は、略水平に延在している。そのため、基板４２の後端部を平坦部２２の底面に接触させた状態で、スクリュー４４により該基板４２を平坦部２２に固定すれば、開口部２６内で基板４２を略水平方向に位置決め固定することができる。また、基板４２を平坦部２２に固定した際、ＬＥＤ４０は、庇部３６の後端部と平坦部２２との間で、リフレクタ１８に対して上下方向に対向するように配置される。
【００２８】
従って、ＬＥＤ４０が発光した際、ＬＥＤ４０からの光は、上方に照射され、リフレクタ１８で前方に反射した後、レンズ１４を介して車両の前方に照射される。なお、庇部３６の後端部が後方に向かって斜め上方に延びているので、ＬＥＤ４０の光の一部が斜め前方に照射しても、一部の光は庇部３６で遮られる。これにより、乱反射等の発生を回避することができる。
【００２９】
そして、本実施形態において、筒状部２０は、ＥＰＤＭ等のゴム製のカバー４６と嵌合している。カバー４６は、断面Ｕ字状の蓋部材であり、上方に向かって開口部２６を塞ぐように、筒状部２０を構成する側壁２４、３２及び左右の側壁の外周面に嵌合する。
【００３０】
この場合、側壁２４に対向するカバー４６の側壁４８には、側壁２４の凹部２８に嵌合する爪部５０と、側壁２４の突起部３０に嵌合する溝５２とが形成されている。すなわち、カバー４６の側壁４８の上端部には、爪部５０及び溝５２による折り返し部分が形成されている。一方、側壁３２に対向するカバー４６の側壁５４には、側壁３２の段差部３４に係合する段差部５６が形成されている。
【００３１】
従って、筒状部２０における各側壁２４、３２の外周面を覆うように、下方からカバー４６を被せると、凹部２８と爪部５０とが嵌合し、突起部３０と溝５２とが嵌合すると共に、段差部３４と段差部５６とが係合する。これにより、開口部２６を含むヘッドライト装置１０内部の空間が密閉空間となる。また、ハウジング１２の下方に潜り込ませるようにカバー４６を筒状部２０に取り付けるので、取り付け後のカバー４６は、ハウジング１２によって上方から覆われることになる。
【００３２】
そのため、図４に示すように、カバー４６を筒状部２０に被せた際、カバー４６の側壁５４は、側壁３２及び傾斜部３８に密接する。また、筒状部２０の図示しない左右の側壁の外周面にも、凹部２８及び突起部３０が形成されるので、カバー４６の左右の側壁の内周面にも、凹部２８及び突起部３０に対応して、爪部５０及び溝５２がそれぞれ形成される。従って、カバー４６を筒状部２０に被せた場合、左右の側壁の爪部５０は、凹部２８に係合すると共に、左右の側壁の溝５２は、突起部３０に嵌合する。
【００３３】
さらに、基板４２の前端部には、上下方向に位置決めピン５８が貫通している。この場合、位置決めピン５８の基端部はカバー４６に接触し、上端部が庇部３６に接触している。また、位置決めピン５８において、カバー４６側の下側部分は、基板４２を支持する大径部分として構成され、基板４２を貫通して庇部３６に接触する上側部分は、小径部分として構成されている。
【００３４】
［本実施形態の効果］
以上説明したように、本実施形態に係るヘッドライト装置１０によれば、下方に開口する開口部２６に対して、上方に向かって開口部２６を塞ぐように、カバー４６がハウジング１２の筒状部２０に設置される。すなわち、ハウジング１２の背面側の一部分である筒状部２０に開口部２６を形成し、該開口部２６をカバー４６で塞ぐことにより、ヘッドライト装置１０内部の密閉空間を容易に形成することができる。この結果、簡単な構成で、外部からヘッドライト装置１０内への水、泥、塵埃等の異物の混入を阻止することができ、ヘッドライト装置１０の防水性及び防塵性を向上させることができる。
【００３５】
また、開口部２６を塞ぐようにカバー４６をハウジング１２の筒状部２０に設置することにより、カバー４６に設けられた溝５２と、筒状部２０の外周面に形成された突起部３０とが嵌合すると共に、カバー４６に設けられた爪部５０が筒状部２０の外周面に形成された凹部２８に係合する。これにより、ハウジング１２も防水機能及び防塵機能を備えることになるため、防水性及び防塵性をさらに向上させることができる。
【００３６】
しかも、カバー４６の側壁４８には爪部５０及び溝５２が上下方向に連設されて折り返し部分を形成し、一方で、筒状部２０の側壁２４には凹部２８及び突起部３０が上下方向に連設されている。これにより、上方からの水、泥、塵埃等の混入を防ぐことができる。
【００３７】
一方、筒状部２０の前方の側壁３２には、突起部３０が設けられておらず、段差部３４が形成されている。また、カバー４６の前方の側壁５４には、溝５２が設けられておらず、段差部５６が形成されている。このような場合でも、側壁３２の上端部に連結される庇部３６と、庇部３６の前端部に連なる傾斜部３８とを設けることによって、筒状部２０及びカバー４６の前方側での防水性を確保することができる。
【００３８】
また、カバー４６をゴム製にすることで、ハウジング１２の筒状部２０とカバー４６との密着性が向上する。これにより、ヘッドライト装置１０の防水機能及び防塵機能を一段と向上させることができる。また、ゴム製のカバー４６を採用することにより、Ｏリングやパッキン等の付属のシール部材が不要となる。この結果、ヘッドライト装置１０の部品点数が削減され、装置全体のコストを下げることができる。
【００３９】
さらに、スクリュー４４を用いて基板４２の後端部をハウジング１２の平坦部２２に容易に固定することができる。また、基板４２の一面全体（全面）をハウジング１２に密着固定する場合と比較して、基板４２の放熱性を向上させることができる。すなわち、スクリュー４４によって基板４２の後端部を固定すれば、ヘッドライト装置１０内の密閉空間において、基板４２の上面側及び底面側を放熱空間として利用することができるので、ＬＥＤ４０及び基板４２で発生する熱を効率よく放熱することができる。
【００４０】
さらにまた、位置決めピン５８が基板４２を貫通することにより、ハウジング１２内で該基板４２が位置決め固定されるので、基板４２の制振性を確保することができる。本実施形態では、光源としてＬＥＤ４０を用いているため、位置決めピン５８によって基板４２を位置決め固定することにより、ＬＥＤ４０の指向性を安定化させることができる。
【００４１】
すなわち、スクリュー４４により基板４２の後端部を平坦部２２に固定すれば、ハウジング１２に対する基板４２の取付作業が簡単になる。一方、スクリュー４４による一点留めの固定では、基板４２の位置ずれが惹起される可能性がある。そこで、本実施形態では、基板４２の前端部を位置決めピン５８で貫通させ、庇部３６とカバー４６との間で基板４２を挟持するように位置決め固定することにより、基板４２の位置ずれの発生を回避し、ＬＥＤ４０の指向性を確保するようにしている。
【００４２】
以上、本発明について好適な実施形態を用いて説明したが、本発明の技術的範囲は、上記の実施形態の記載範囲に限定されることはない。上記の実施形態に、多様な変更又は改良を加えることが可能であることは、当業者に明らかである。そのような変更又は改良を加えた形態も、本発明の技術的範囲に含まれ得ることが、特許請求の範囲の記載から明らかである。また、特許請求の範囲に記載された括弧書きの符号は、本発明の理解の容易化のために添付図面中の符号に倣って付したものであり、本発明がその符号をつけた要素に限定されて解釈されるものではない。
【符号の説明】
【００４３】
１０…ヘッドライト装置                １２…ハウジング
１８…リフレクタ（反射板）            ２０…筒状部
２２…平坦部                          ２４、３２、４８、５４…側壁
２６…開口部                          ２８…凹部
３０…突起部                          ３４、５６…段差部
３６…庇部                            ３８…傾斜部
４０…ＬＥＤ（光源）                  ４２…基板
４４…スクリュー                      ４６…カバー
５０…爪部                            ５２…溝
５８…位置決めピン
【図１】
0006038988.tif 000002
【図２】
0006038988.tif 000003
【図３】
0006038988.tif 000004
【図４】
0006038988.tif 000005